(57)【要約】【課題】電源が一度オフ状態となっても、電源が再度オン状態となったときにはソフトスタート機能を再度作動させずに調光することができる点灯装置を提供する。【解決手段】電源１１と、電力変換部１３と、検出部１５と、制御部１９とを備え、光源部１７を調光する点灯装置１であって、電源１１により電荷を蓄積するキャパシタＣと、キャパシタＣに蓄積された電荷が電源１１に逆流するのを防止するダイオードＤとを備え、ダイオードＤは、アノード側が電源１１に接続され、カソード側が制御部１９に接続され、キャパシタＣは、ダイオードＤのカソード側と接続され、電源１１がオン状態からオフ状態に移行した場合、当該キャパシタＣに蓄積された電荷を制御部１９に供給し、制御部１９は、電源１１又はキャパシタＣにより、電力変換部１３を制御する際に用いる制御値が保持される。【選択図】図１
2017079125.tif 000002
【特許請求の範囲】
【請求項１】
電源と、
前記電源から供給される電力を変換する電力変換部と、
前記電力変換部から光源部に供給される出力電流及び出力電圧を検出する検出部と、
前記検出部により検出された前記出力電流及び前記出力電圧に基づいて、前記電力変換部を制御する制御部と
を備え、
前記光源部を調光する点灯装置であって、
前記電源により電荷を蓄積するキャパシタと、
前記キャパシタに蓄積された電荷が前記電源に逆流するのを防止するダイオードと
を備え、
前記ダイオードは、
当該ダイオードのアノード側が前記電源に接続され、
当該ダイオードのカソード側が前記制御部に接続され、
前記キャパシタは、
前記ダイオードのカソード側と接続され、
前記電源がオン状態からオフ状態に移行した場合、当該キャパシタに蓄積された電荷を前記制御部に供給し、
前記制御部は、
前記電源又は前記キャパシタにより、前記電力変換部を制御する際に用いる制御値が保持される
ことを特徴とする点灯装置。
【請求項２】
前記制御部は、
前記電源がオフ状態からオン状態に移行した場合、前記制御値に基づいて、前記電力変換部を制御する
ことを特徴とする請求項１に記載の点灯装置。
【請求項３】
前記制御値は、
前記光源部を調光する際のデューティー比から構成され、
前記電源は、
前記電力変換部とは、電源ライン及びグランドラインにより接続され、
前記電源ラインを介して、前記デューティー比に基づいて生成されるＰＷＭ信号を前記電力変換部に供給し、
前記電源ラインから分岐された制御ラインを介して、前記ＰＷＭ信号を前記制御部に供給する
ことを特徴とする請求項１又は２に記載の点灯装置。
【発明の詳細な説明】
【技術分野】
【０００１】
本発明は、点灯装置に関する。
【背景技術】
【０００２】
従来、ＰＷＭ調光により光源部を制御する点灯装置がある（例えば、特許文献１参照）。
【先行技術文献】
【特許文献】
【０００３】
【特許文献１】特許第５４５７６８４号公報
【発明の概要】
【発明が解決しようとする課題】
【０００４】
特許文献１に記載のような従来技術は、電源以外にＰＷＭ調光を行うためのＰＷＭ信号が別途必要である。そこで、上記従来技術において、電源そのものをオン状態及びオフ状態の何れかに制御することにより、ＰＷＭ調光を実現するものがある。
【０００５】
しかし、電源そのものをＰＷＭ調光する場合、電源がオフ状態となれば、ＰＷＭ調光を制御する制御部には電力が供給されなくなるため、制御部が保持する制御値はリセットされる。つまり、制御部によりソフトスタートの機能を作動させ、フィードバック制御により制御値を逐次更新しても、電源がオフ状態となれば、制御部は制御値を保持することができない。
【０００６】
したがって、特許文献１に記載のような従来技術においては、電源が一度オフ状態となってから再度オン状態となったときには、ソフトスタートの際に使用した制御値がリセットされるため、ソフトスタートの機能を再度作動させる必要があった。
【０００７】
本発明は、従来の課題を解決するためになされたものであり、その目的とするところは、電源が一度オフ状態となっても、電源が再度オン状態となったときにはソフトスタートの機能を再度作動させずに調光することができる点灯装置を提供することにある。
【課題を解決するための手段】
【０００８】
上記目的を達成するため、本発明に係る点灯装置は、電源と、前記電源から供給される電力を変換する電力変換部と、前記電力変換部から光源部に供給される出力電流及び出力電圧を検出する検出部と、前記検出部により検出された前記出力電流及び前記出力電圧に基づいて、前記電力変換部を制御する制御部とを備え、前記光源部を調光する点灯装置であって、前記電源により電荷を蓄積するキャパシタと、前記キャパシタに蓄積された電荷が前記電源に逆流するのを防止するダイオードとを備え、前記ダイオードは、当該ダイオードのアノード側が前記電源に接続され、当該ダイオードのカソード側が前記制御部に接続され、前記キャパシタは、前記ダイオードのカソード側と接続され、前記電源がオン状態からオフ状態に移行した場合、当該キャパシタに蓄積された電荷を前記制御部に供給し、前記制御部は、前記電源又は前記キャパシタにより、前記電力変換部を制御する際に用いる制御値が保持されることを特徴とするものである。
【０００９】
この点灯装置によれば、電源がオフ状態からオン状態となったときにはソフトスタートの機能を再度作動させなくても、保持されている制御値を用いて調光することができる。
【００１０】
また、本発明に係る点灯装置において、前記制御部は、前記電源がオフ状態からオン状態に移行した場合、前記制御値に基づいて、前記電力変換部を制御することが好ましい。
【００１１】
この点灯装置によれば、オフ状態からオン状態に移行し、電源が再度オン状態となったとき、オーバーシュートが生じることなく、即座に規定の電流を流すことができる。
【００１２】
また、本発明に係る点灯装置において、前記制御値は、前記光源部を調光する際のデューティー比から構成され、前記電源は、前記電力変換部とは、電源ライン及びグランドラインにより接続され、前記電源ラインを介して、前記デューティー比に基づいて生成されるＰＷＭ信号を前記電力変換部に供給し、前記電源ラインから分岐された制御ラインを介して、前記ＰＷＭ信号を前記制御部に供給することが好ましい。
【００１３】
この点灯装置によれば、回路の小型化及び低コスト化を実現することができる。
【発明の効果】
【００１４】
本発明によれば、電源がオフ状態であっても、制御値が保持されることにより、ソフトスタートの際に使用した制御値が保持されているため、電源がオフ状態からオン状態となったときにはソフトスタートの機能を再度作動させなくても、保持されている制御値を用いて調光することができる。
【図面の簡単な説明】
【００１５】
【図１】本実施形態に係る点灯装置１の回路構成の一例を示す図である。
【図２】従来の点灯装置２の回路構成の一例を示す図である。
【発明を実施するための形態】
【００１６】
以下、図面に基づいて本発明の実施形態を説明するが、本発明は以下の実施形態に限られるものではない。
【００１７】
図１は、本実施形態に係る点灯装置１の回路構成の一例を示す図である。図１に示すように、点灯装置１は、電源１１、電力変換部１３、検出部１５、光源部１７、及び制御部１９等を備える。
【００１８】
電源１１は、高電圧の直流電源であり、例えば、複数のセルが接続された組電池からなる。なお、電源１１は、一次電池又は二次電池のような安定した直流電圧を供給するものであればよい。
【００１９】
電力変換部１３は、電源ライン３及びグランドライン５を介して、入力側が電源１１に接続され、出力側が光源部１７に接続される。電力変換部１３は、電源１１から供給される電力を変換し、光源部１７に一定の電流を流す。電力変換部１３は、例えば、ＤＣ／ＤＣコンバータから構成され、電源１１の電圧を光源部１７に適した電圧に変換する。
【００２０】
検出部１５は、電力変換部１３の出力電流及び出力電圧を検出する。検出部１５は、検出した出力電流及び出力電圧を制御部１９に供給する。
【００２１】
光源部１７は、複数の発光素子から構成され、電力変換部１３から供給される出力電流に応じて、発光する。発光素子は、例えば、ＬＥＤからなる。
【００２２】
制御部１９は、検出部１５により検出された出力電流及び出力電圧に基づいて、電力変換部１３を制御する。制御部１９は、検出された出力電流及び出力電圧が、目標電流及び目標電圧になるように、電力変換部１３を制御する。制御部１９は、電源ライン３から分岐された制御ライン７と、電源ライン３から分岐された分岐ライン９とが接続されている。制御部１９は、制御ライン７を介して、光源部１７を調光する際のデューティー比に基づいて生成されるＰＷＭ信号が電源１１から供給される。制御部１９は、分岐ライン９を介して、電源１１から電力が供給される。
【００２３】
分岐ライン９には、ダイオードＤが設けられている。ダイオードＤは、アノード側が電源１１に接続され、カソード側が制御部１９に接続される。分岐ライン９と、グランドライン５との間には、キャパシタＣが設けられている。キャパシタＣは、ダイオードＤのカソード側と接続される。
【００２４】
具体的には、キャパシタＣは、分岐ライン９を介して、電源１１により電荷を蓄積する。キャパシタＣは、電源１１がオン状態からオフ状態に移行した場合、蓄積された電荷を制御部１９に供給する。ダイオードＤは、キャパシタＣに蓄積された電荷が電源１１に逆流するのを防止する。
【００２５】
次に、電源１１のオン状態又はオフ状態に応じた制御部１９の動作について説明する。電源１１がオフ状態からオン状態に移行した場合、デフォルトのＰＷＭ信号が、電源ライン３を介して電力変換部１３に供給されると共に、分岐ライン９を介して制御部１９に供給される。この際、キャパシタＣは、電源１１により電荷を蓄積する。
【００２６】
次に、電力変換部１３は、電源１１から供給されたＰＷＭ信号の電力変換を行い、光源部１７に出力電流を供給する。光源部１７は、電力変換部１３から供給された出力電流により発光素子が発光する。この際、検出部１５は、電力変換部１３から光源部１７に供給される出力電流及び出力電圧を検出し、検出結果を制御部１９に供給する。
【００２７】
制御部１９は、出力電流及び出力電圧が目標電流及び目標電圧に到達するように、制御値を更新する。制御値は、光源部１７を調光する際のデューティー比から構成される。上記で説明したＰＷＭ信号は、このデューティー比に基づいて生成される。このように、制御部１９は、出力電流が目標電流に到達し、出力電圧が目標電圧に到達するまで、制御値を更新するフィードバック制御を行うことにより、光源部１７に一定の電流が流れるようにする。
【００２８】
制御部１９がフィードバック制御を行っている際、電源１１がオン状態からオフ状態に移行した場合、キャパシタＣは、蓄積された電荷を制御部１９に供給する。
【００２９】
なお、キャパシタＣは、グランドライン５と、ダイオードＤのカソード側との間に設けられているため、キャパシタＣに蓄積された電荷は、分岐ライン９及び電源ライン３を介して電源１１に逆流しない。
【００３０】
つまり、制御部１９は、電源１１がオン状態のときには、電力変換部１３を制御する際に用いる制御値が電源１１から供給される電力により保持される。一方、制御部１９は、電源１１がオフ状態のときには、電力変換部１３を制御する際に用いる制御値がキャパシタＣから供給される電力により保持される。
【００３１】
次に、電源１１がオフ状態からオン状態に移行した場合、制御値が保持されているため、制御部１９は、保持されている制御値に基づいて、電力変換部１３を制御する。
【００３２】
次に、本実施形態に係る点灯装置１と、従来例とを比較する。図２は、従来の点灯装置２の回路構成の一例を示す図である。図２に示すように、従来の点灯装置２は、電源１１、電力変換部１３、検出部１５、光源部１７、及び制御部１９の他に、信号生成部２１がさらに設けられ、電源１１からではなく、信号生成部２１からＰＷＭ信号が制御部１９に供給される。
【００３３】
従来の点灯装置２の場合、電源ライン３及び分岐ライン９を介して、電源１１から制御部１９に電力が供給されるため、電源１１がオフ状態のときには制御部１９に電力が供給されない。よって、電源１１がオフ状態であれば、制御部１９はリセットされ、制御値が保持されない。
【００３４】
一方、本実施形態に係る点灯装置１は、電源１１がオフ状態であっても、キャパシタＣから制御部１９に電力が供給されるため、制御部１９がリセットされることなく、制御値が保持される。
【００３５】
以上の説明から、点灯装置１は、電源１１から直接ＰＷＭ信号を出力することにより光源部１７をＰＷＭ調光する場合であっても、電源１１がオフ状態のときに制御部１９がリセットされることがない。これにより、電源１１が再度オン状態となったときに即座に規定の出力電流を光源部１７に流すことができるため、出力電流の立ち上がりがなまらない。したがって、点灯装置１は、電源１１によるＰＷＭ調光を高精度に行うことができる。
【００３６】
換言すれば、点灯装置１は、電源１１がオフ状態であっても、制御値が保持されることにより、ソフトスタートの際に使用した制御値が保持されているため、電源１１がオフ状態からオン状態となったときにはソフトスタートの機能を再度作動させなくても、保持されている制御値を用いて調光することができる。
【００３７】
また、点灯装置１は、電源１１がオフ状態からオン状態に移行した場合、保持されている制御値に基づいて、電力変換部１３を制御することにより、オフ状態になる以前の制御値を使用することができる。これにより、点灯装置１は、ソフトスタートの際に更新していった制御値を使用することができるため、ソフトスタートの機能を再度作動させる必要がない。よって、点灯装置１は、オフ状態からオン状態に移行し、電源１１が再度オン状態となったとき、オーバーシュートが生じることなく、即座に規定の電流を流すことができる。
【００３８】
また、点灯装置１は、電源ライン３を介して、ＰＷＭ信号を電力変換部１３に供給し、電源ライン３から分岐された制御ライン７を介して、ＰＷＭ信号を制御部１９に供給することにより、全体のワイヤーハーネスを削減できる。これにより、点灯装置１は、回路の小型化及び低コスト化を実現することができる。
【００３９】
以上の説明から、本実施形態において、点灯装置１は、電源１１と、電源１１から供給される電力を変換する電力変換部１３と、電力変換部１３から光源部１７に供給される出力電流及び出力電圧を検出する検出部１５と、検出部１５により検出された出力電流及び出力電圧に基づいて、電力変換部１３を制御する制御部１９とを備え、光源部１７を調光する点灯装置１であって、電源１１により電荷を蓄積するキャパシタＣと、キャパシタＣに蓄積された電荷が電源１１に逆流するのを防止するダイオードＤとを備え、ダイオードＤは、当該ダイオードＤのアノード側が電源１１に接続され、当該ダイオードＤのカソード側が制御部１９に接続され、キャパシタＣは、ダイオードＤのカソード側と接続され、電源１１がオン状態からオフ状態に移行した場合、当該キャパシタＣに蓄積された電荷を制御部１９に供給し、制御部１９は、電源１１又はキャパシタＣにより、電力変換部１３を制御する際に用いる制御値が保持される。
【００４０】
上記構成により、電源１１がオフ状態からオン状態となったときにはソフトスタートの機能を再度作動させなくても、保持されている制御値を用いて調光することができる。
【００４１】
また、本実施形態において、制御部１９は、電源１１がオフ状態からオン状態に移行した場合、制御値に基づいて、電力変換部１３を制御する。
【００４２】
上記構成により、オフ状態からオン状態に移行し、電源１１が再度オン状態となったとき、オーバーシュートが生じることなく、即座に規定の電流を流すことができる。
【００４３】
また、本実施形態において、制御値は、光源部１７を調光する際のデューティー比から構成され、電源１１は、電力変換部１３とは、電源ライン３及びグランドライン５により接続され、電源ライン３を介して、デューティー比に基づいて生成されるＰＷＭ信号を電力変換部１３に供給し、電源ライン３から分岐された制御ライン７を介して、前記ＰＷＭ信号を制御部１９に供給する。
【００４４】
上記構成により、回路の小型化及び低コスト化を実現することができる。
【００４５】
以上、本発明が適用される点灯装置１を本実施形態に基づいて説明したが、本発明はこれに限定されるものではなく、本発明の趣旨を逸脱しない範囲で、変更を加えてもよい。
【００４６】
例えば、電力変換部１３がＤＣ／ＤＣコンバータから構成される一例について説明したが、ＤＣ／ＤＣコンバータは、非絶縁型であっても絶縁型であってもよい。
【符号の説明】
【００４７】
１，２        点灯装置
３            電源ライン
５            グランドライン
７            制御ライン
９            分岐ライン
１１          電源
１３          電力変換部
１５          検出部
１７          光源部
１９          制御部
２１          信号生成部
【図１】
2017079125.tif 000003
【図２】
2017079125.tif 000004